(57)【要約】  【課題】  変動入賞装置内にて特定領域への遊技球誘導率を異ならせる遊技機を提供する。  【解決手段】  遊技釘が植設された遊技領域に、始動入賞口と、始動入賞口への遊技球の入賞により可動部材２２を閉状態から開状態に変換可能な補助遊技を行う変動入賞装置２と、を備えた遊技機であって、可動部材２２は、その一端部に回転軸４１を設け、その軸を中心にして回動することにより閉状態から開状態に変換するように構成され、可動部材２２は、その上面に沿って形成された上部流路４８と、回動自由端側から回動軸側へ遊技球が通過可能に貫通する貫通流路４９とを備え、貫通流路の途中に貯留部５１を設けた。【選択図】  図３
2005328865.tif 000002
【特許請求の範囲】
【請求項１】
遊技釘が植設された遊技領域に、始動入賞口と、該始動入賞口への遊技球の入賞により可動部材を閉状態から開状態に変換可能な補助遊技を行う変動入賞装置と、を備えた遊技機において、
前記可動部材は、
その一端部に回転軸を設け、該回転軸を中心に駆動源の駆動により回動することによって閉状態から開状態に変換するように構成されるとともに、
開状態の可動部材における上面に沿って形成された上部流路と、
前記回動自由端側から回動軸側へ遊技球が通過可能に貫通した貫通流路と、
を備え、
前記貫通流路の途中には、当該可動部材の開状態中に遊技球を貯留可能な貯留部を設け、該貯留部に貯留された遊技球を可動部材が閉状態に変換することにより貯留解除するように構成したことを特徴とする遊技機。
【請求項２】
前記可動部材は、前記貫通流路の回動自由端側に開閉部材を備え、
前記開閉部材は、可動部材の閉状態において前記貫通流路を閉鎖する一方、可動部材の開状態において前記貫通流路を開放することを特徴とする請求項１に記載の遊技機。
【請求項３】
前記変動入賞装置は、
受け入れた遊技球が転動する遊技空間と、該遊技空間の下流側に形成された特定領域及び一般領域とを有し、
前記補助遊技中に受け入れた遊技球が特定領域を通過したことに基づいて、補助遊技よりも有利な態様で前記可動部材を開状態に変換して特別遊技を行い、
前記遊技空間は、
遊技球を誘導する複数の誘導経路を、前記特定領域への誘導率を異ならせた状態で備えていることを特徴とする請求項１または請求項２に記載の遊技機。
【請求項４】
前記遊技空間は、
前記特定領域へ遊技球を誘導し易い第１遊技空間部と、特定領域へ遊技球を誘導し難い第２遊技空間部と、
を備え、
前記上部流路が受け入れた遊技球を前記第２遊技空間部に誘導し、前記貫通流路が受け入れた遊技球を前記第１遊技空間部に誘導するように構成したことを特徴とする請求項３に記載の遊技機。
【発明の詳細な説明】
【技術分野】
【０００１】
本発明は、始動入賞口への遊技球の入賞により可動部材を閉状態から開状態に変換する変動入賞装置を備えたパチンコ機などの遊技機に関する。
【背景技術】
【０００２】
従来の遊技機の中には、始動入賞口へ遊技球が入賞すると変動入賞装置の可動部材を開放して補助遊技を行い、さらに、補助遊技中に変動入賞装置内に受け入れた遊技球が特定領域を通過すると補助遊技よりも有利な態様で可動部材を開放して（例えば、開放時間を長くしたり、開放回数を多くしたりして）特別遊技を行わせることにより遊技の興趣を高めるものがある。
【０００３】
また、このようなパチンコ遊技機としては、例えば特開平４−２８２１７２号公報（特許文献１）に開示されているように、特定領域と一般領域とが並設された部位の上流に、所定の確率で遊技球を特定領域に誘導する誘導部材を設け、特定領域への遊技球の誘導パターンに変化を与えて遊技者の興趣を更に高揚させている。
【特許文献１】特開平４−２８２１７２号公報
【発明の開示】
【発明が解決しようとする課題】
【０００４】
ところで、従来の遊技機における可動部材は単に開閉するのみであり、遊技者にとって単調なものと成りつつある。
また、遊技店においては、遊技盤上の釘調整により遊技機の出玉率（遊技者が遊技領域へ打ち込んだ球数に対する遊技者の獲得球数の割合）を通常営業時よりも高くするサービス営業を行うことがある。しかし、通常営業時とサービス営業時とで極端に異なる釘調整を行って、始動入賞口への入賞率（遊技者が遊技領域へ打ち込んだ球数に対する始動入賞数の割合）や変動入賞装置の可動部材への入賞率（始動入賞数に対する可動部材入賞数の割合）が極端に変化すると、サービス営業から通常営業に移行したときに遊技者の当該遊技機に対する興趣が低下して遊技機の稼働が下がる場合がある。従って、通常営業時とサービス営業時とで極端に異なる釘調整を行わず、微調整とすることが望ましい。
【０００５】
ところが、上述の従来の遊技機に対して、サービス営業のために釘の微調整を行って変動入賞装置の可動部材への入賞率を僅かに変化させても、変動入賞装置内に入賞した遊技球を特定領域に誘導する確率は変化しないため、結果として遊技店が所望する程充分に高い出玉率が達成されず、遊技者に対するサービスを満足に行うことができない。
【０００６】
そこで、本発明は上記の事情に鑑みてなされたものであり、その目的は、釘調整を通常営業時に対して微調整して、通常営業時に比べて充分に出玉率を高くしたサービス営業が可能な遊技機の提供を目的とする。
【課題を解決するための手段】
【０００７】
本発明は、上記目的を達成するために提案されたものであり、請求項１に記載のものは、遊技釘が植設された遊技領域に、始動入賞口と、該始動入賞口への遊技球の入賞により可動部材を閉状態から開状態に変換可能な補助遊技を行う変動入賞装置と、を備えた遊技機において、
前記可動部材は、
その一端部に回転軸を設け、該回転軸を中心に駆動源の駆動により回動することによって閉状態から開状態に変換するように構成されるとともに、
開状態の可動部材における上面に沿って形成された上部流路と、
前記回動自由端側から回動軸側へ遊技球が通過可能に貫通した貫通流路と、
を備え、
前記貫通流路の途中には、当該可動部材の開状態中に遊技球を貯留可能な貯留部を設け、該貯留部に貯留された遊技球を可動部材が閉状態に変換することにより貯留解除するように構成したことを特徴とする遊技機である。
【０００８】
請求項２に記載のものは、前記可動部材が、前記貫通流路の回動自由端側に開閉部材を備え、
前記開閉部材は、可動部材の閉状態において前記貫通流路を閉鎖する一方、可動部材の開状態において前記貫通流路を開放することを特徴とする請求項１に記載の遊技機である。
【０００９】
請求項３に記載のものは、前記変動入賞装置が、受け入れた遊技球が転動する遊技空間と、該遊技空間の下流側に形成された特定領域及び一般領域とを有し、前記補助遊技中に受け入れた遊技球が特定領域を通過したことに基づいて、補助遊技よりも有利な態様で前記可動部材を開状態に変換して特別遊技を行い、
前記遊技空間は、
遊技球を誘導する複数の誘導経路を、前記特定領域への誘導率を異ならせた状態で備えていることを特徴とする請求項１または請求項２に記載の遊技機である。
【００１０】
請求項４に記載のものは、前記遊技空間が、前記特定領域へ遊技球を誘導し易い第１遊技空間部と、特定領域へ遊技球を誘導し難い第２遊技空間部と、を備え、
前記上部流路が受け入れた遊技球を前記第２遊技空間部に誘導し、前記貫通流路が受け入れた遊技球を前記第１遊技空間部に誘導するように構成したことを特徴とする請求項３に記載の遊技機である。
【発明の効果】
【００１１】
本発明によれば、以下のような優れた効果を奏する。
即ち、請求項１に記載の発明によれば、変動入賞装置の可動部材は、その一端部に回転軸を設け、該回転軸を中心に駆動源の駆動により回動することによって閉状態から開状態に変換するように構成されるとともに、開状態の可動部材における上面に沿って形成された上部流路と、前記回動自由端側から回動軸側へ遊技球が通過可能に貫通した貫通流路とを備え、前記貫通流路の途中には、当該可動部材の開状態中に遊技球を貯留可能な貯留部を設け、該貯留部に貯留された遊技球を可動部材が閉状態に変換することにより貯留解除するように構成したので、始動入賞口への遊技球の入賞により可動部材が回転軸の軸回りに閉状態から開状態に変換すると、可動部材の上部流路から遊技球を取り入れて入賞させることができるとともに、貫通流路へ入った遊技球を貯留部に貯留することができる。そして、可動部材が閉状態に戻ると、貯留解除して貯留していた遊技球を取り込むことができるので、貯留部に貯留された遊技球が一気に貫通流路を通過することになり、遊技の興趣を高めることができる。このことから、特定領域への入賞（すなわち大当たり）するなどのチャンスを容易に把握することができ、特別遊技の発生に対する期待感を喚起できる。また、上部流路を通過する遊技球と貫通流路を通過した遊技球とで変動入賞装置内の特定領域への遊技球誘導率を異ならせることができる。このことから、一方の流路を通過する遊技球の特定領域への誘導率を高めることにより、遊技店は、遊技釘を極端に調整することなく、サービス営業時の出玉率を通常営業時よりも高めることができる。
【００１２】
請求項２に記載の発明によれば、可動部材は、当該可動部材の閉状態において貫通流路を閉鎖する一方、当該可動部材の開状態において貫通流路を開放する開閉部材を備えているので、可動部材が閉状態にあるときには貫通流路から遊技球を取り込むことはないので、通常営業時に出玉率を抑制できないといった事態を防止できる。
【００１３】
請求項３に記載の発明によれば、変動入賞装置の遊技空間は、遊技球を誘導する複数の誘導経路を、特定領域への誘導率を異ならせた状態で備えているので、特定領域への誘導率が高い誘導経路へ遊技球が流下し易いように遊技盤上の遊技釘を微調整すれば、高誘導率の誘導経路へ遊技球が導入され易くなる。
【００１４】
請求項４に記載の発明によれば、変動入賞装置の遊技空間は、特定領域へ遊技球を誘導し易い第１遊技空間部と、特定領域へ遊技球を誘導し難い第２遊技空間部と、を備え、上部流路が受け入れた遊技球を第２遊技空間部に誘導するとともに、貫通流路が受け入れた遊技球を第１遊技空間部に誘導するように構成しているので、貫通流路により受け入れた遊技球の方が、上部流路により受け入れた遊技球よりも特定領域への遊技球の入賞率が高いことになる。したがって、貫通流路への遊技球の入賞率を僅かに高くするように遊技釘を微調整すれば、遊技店は、通常営業時に比べて充分に出玉率を高くしたサービス営業ができ、遊技者を満足させることができる。
【発明を実施するための最良の形態】
【００１５】
以下、代表的な遊技機であるパチンコ遊技機を例に挙げて本発明の実施の最良の形態を図面に基づき説明する。図１はパチンコ遊技機の遊技盤の正面図、図２は可動部材が閉状態の変動入賞装置の正面図、図３は可動部材が開状態の変動入賞装置の正面図である。
【００１６】
パチンコ遊技機の遊技盤１は、図１に示すように、表面にガイドレール等の区画部材３により区画された遊技領域４を形成し、該遊技領域４内において、ほぼ中央には変動入賞装置２を配設し、該変動入賞装置２の下方には、第１始動入賞口５および第２始動入賞口６を配設している。また、遊技領域４内には、この他に、一般入賞具７、遊技球の流下方向を変える風車や遊技釘（いずれも図示せず）、発光により各種の装飾表示を行うランプ・ＬＥＤ１０、及び入賞せずに流下した遊技球を回収するアウト口１１が設けられている。なお、第１始動入賞口５、第２始動入賞口６および一般入賞具７は、入賞した遊技球を検出する第１始動入賞口センサ１２，１２、第２始動入賞口センサ１４および一般入賞具センサ１〜Ｎ；１５（図１０参照）をそれぞれ備えている。また、本実施形態では、２つの第１始動入賞口５を横に並べ、その間に第２始動入賞口６を配置している。
【００１７】
そして、遊技盤１は、遊技釘の一種であって、変動入賞装置２の側方に植設された複数のガイド釘（図示せず）を、変動入賞装置２の開状態における可動部材（後述する）に向って下り傾斜する案内通路を形成するよう列設している。また、各始動入賞口５，６夫々の上方には、一対の調整釘（所謂命釘；図示せず）を遊技球が通過可能な間隔を形成した状態で植設している。
【００１８】
変動入賞装置２は、図２及び図３に示すように、遊技盤１の表面に取り付けられる縦長な取付基板２１と、該取付基板２１の前面の左右両側に設けられて、開状態と閉状態とに変換可能な可動部材２２と、該可動部材２２の間に位置し、開状態の可動部材２２により受け入れられた遊技球が転動する遊技空間２３と、該遊技空間２３の下側に配設された一般領域（本実施形態では、後述する通称クルーンの一般入賞口９５）及び特定領域（本実施形態では、後述する通称クルーンの特定入賞口９４）とから概略構成されている。
【００１９】
取付基板２１は、前面の左右方向中央に縦長な遊技空間２３を、周囲に侵入阻止壁２８を立設して区画形成している。具体的に説明すると、取付基板２１は、前面の上部には開放側を下向きにした略「へ」の字状の第１侵入阻止壁２８ａを、前面の下部には開放側を上向きにした略「コ」の字状の第２侵入阻止壁２８ｂをそれぞれ前方に向かって立設し、この２つの対向した侵入阻止壁２８ａ，２８ｂの内側に縦長な遊技空間２３を形成している。なお、第１侵入阻止壁２８ａは、頂部から左右両側下方に傾斜して、当該頂部に遊技球が落下しても滞留せずに左右に振り分けて流下し得るように構成されている。また、遊技空間２３については、後で詳細に説明する。
【００２０】
さらに、取付基板２１は、第１侵入阻止壁２８ａと第２侵入阻止壁２８ｂとを上下に離隔して、侵入阻止壁２８の左右両側のうち、可動部材２２が開いて遊技球を導入する後述の誘導経路３０の入口とする部位に経路連通口３１を開設（図３）し、内側の遊技空間２３、詳しくは後述の誘導経路３０と外側の遊技領域４とを連通するように構成されている。
【００２１】
可動部材２２は、遊技球を遊技空間２３に受け入れ易い開状態（傾倒した状態であり遊技者にとって有利な状態）と、遊技球を遊技空間２３に受け入れない閉状態（起立した状態であり遊技者にとって不利な状態）とに変換可能な部材であり、該可動部材の一端部に回転軸４１を設け、この回転軸４１を中心に駆動源の駆動により回動することによって閉状態から開状態に変換するように構成されている。具体的には、可動部材２２の回動軸４１の後端に、第１侵入阻止壁２８ａの下部に固定された駆動源としての開閉ソレノイド５０のプランジャを、クランク部材５３を介して接続し、このプランジャをスプリング５４により伸長方向に付勢して、開閉ソレノイド５０が消磁した常態においては、ほぼ垂直に起立した閉状態（図２参照）を維持し、開閉ソレノイド５０が励磁すると可動部材２２の上端を外側に倒す方向に向かって回動して逆ハの字状に傾倒した開状態（図３参照）に変換するように構成されている（図７参照）。
【００２２】
各可動部材２２の本体は略角筒体の背面の壁を取り除いて断面コ字状を呈した部材であり、閉状態において左右に対向する内面部分となり、開状態において上面部分となる平板状の筒体内側壁４２と、閉状態において外面部分となり、開状態において下面部分となる一部に膨出部を有する筒体外側壁４３と、筒体前面壁４４とから構成され、図３に示すように、可動部材２２が開状態にあるときに、該可動部材２２の上面に沿って上部流路４８が形成され、該可動部材２２の回動自由端側から回動軸側へ貫通して遊技球が通過可能な貫通流路４９が形成される。
【００２３】
また、この貫通流路４９の途中には、上記筒体外側壁４３の軸着基端側を外側に円弧状に膨出して当該可動部材２２の開状態中に遊技球５２を貯留可能な貯留部５１を設けており（図３参照）、該貯留部５１に貯留された遊技球を可動部材が閉状態に変換（図３の状態から図２の状態に変換）することにより貯留解除するように構成している。したがって、貯留部５１に貯留された遊技球５２が一気に貫通流路４９を通過して遊技空間２３内に入ることになり、遊技の興趣を高めることができる。このことから、後述する特定入賞口９４への入賞（すなわち大当たり）のチャンスを容易に把握することができ、特別遊技の発生に対する期待感を喚起できる。なお、可動部材２２を構成する部材のうち、少なくとも上記筒体前面壁４４を透明の部材により構成すれば内部が視認可能となり、貯留部５１への遊技球の貯留個数を明確に把握することができるので、好適である。
【００２４】
さらに、各可動部材２２の貫通流路４９の入口４９ａは、図２及び図３に示すように、各可動部材２２の閉状態において、それぞれ左右方向の外側下方に傾斜して形成されており、該貫通流路４９の入口４９ａの回動自由端側には、当該可動部材２２の閉状態において入口４９ａを閉じて貫通流路４９を閉鎖する一方、当該可動部材２２の開状態において入口４９ａを開放するブレード状の開閉部材５５をそれぞれ設けている。この開閉部材５５の開閉作動の支点となる回動軸５６は、上記取付部材２１において、各可動部材２２の左右方向外側に設けられた円弧状の回動位置規制穴５８内に遊嵌されており、可動部材２２の開閉作動に伴って上記回動軸５６が回動位置規制穴５８内を往復移動するように構成してある。
【００２５】
上記開閉部材５５の開閉作動構造を、図４乃至図６を用いて、さらに具体的に説明する。図４は開閉部材が閉状態であり、回動位置規制穴の中間に回動軸が位置する要部正面図、図５は開閉部材が開状態であり、回動位置規制穴の下限に回動軸が位置する要部正面図、図６は図５のＡ矢視断面図である。
【００２６】
これらの図面に示すように、開閉部材５５の回動軸５６は、取付部材２１に形成された円弧状の回動位置規制穴５８内に遊嵌されており、上記可動部材２２の貫通流路４９の入口４９ａの回動自由端側に形成した軸受孔６８内に挿通されて、開閉部材５５を開閉可能に軸支している（図６参照）。上記回動軸５６の前端部には、略相反する方向に二本の腕部６２，６３を有する捻りコイルバネ６１が装着されており、一方の腕部６２は可動部材２２に固定されるとともに、他方の腕部６３は開閉部材５５に固定され、これにより、常に開閉部材５５を閉じる方向へ付勢するように成っている。また、上記回動軸５６の嵌入端部（後端部）には、可動部材側へ臨んで平板片状の当接部材６６が固定され、また、上記回動位置規制穴５８の下限部（下端部）の左右方向内側にはピン状の被当接部材６７が設けられており、上記可動部材２２が閉状態から開状態へ変換する動作を行うと、図４に示すように、開閉部材５５を軸支する回動軸５６が回動位置規制穴５８内を移動し、図５に示すように、回動軸５６が回動位置規制穴５８の下限部位に近づくと、該回動軸５６に固定された当接部材６６が被当接部材６７に当接することにより、上記捻りコイルバネ６１の付勢力に抗して開閉部材５５を回動軸５６の軸回りに回動させ、上記可動部材２２の貫通流路４９の入口４９ａを開放するように成っている。
【００２７】
すなわち、このような構成を備えた可動部材２２は、起立状態に変換したときに、第１侵入阻止壁２８ａと第２侵入阻止壁２８ｂとの間に形成した経路連通口３１を閉塞し、傾倒状態に変換したときに、第１侵入阻止壁２８ａと第２侵入阻止壁２８ｂとの間の経路連通口３１を開放して、該可動部材２２の上面に沿って形成した上部流路４８を遊技球が流下可能にするとともに、該可動部材２２の回動自由端側から回動軸側へ貫通する貫通流路４９内に遊技球が流入可能にする。なお、この可動部材２２の開状態において、前記したように、上記開閉部材５５が回動軸５６の軸回りに回動して、可動部材２２の貫通流路４９の入口４９ａを開放するように成っている。
【００２８】
次に、図２、図３及び図７を用いて、遊技空間２３について説明する。図７は、変動入賞装置の縦断面図である。
【００２９】
遊技空間２３は、開状態の可動部材２２の上部流路が受け入れた遊技球を左右方向中央に向かって転動可能な転動棚７１と、該転動棚７１よりも下方において転動棚７１から流下してきた遊技球を振り分ける円板状の回転誘導部材７２と、該回転誘導部材７２よりも下方において当該遊技空間２３の下側に流下した遊技球を特定領域と一般領域とに振り分ける振分部（所謂クルーン）７３とを備えている。そして、遊技空間２３は、転動棚７１と回転誘導部材７２とを経ることなく転動棚７１の下から振分部７３を経て遊技球を誘導する第１誘導経路３０ａと、転動棚７１と回転誘導部材７２とを経て第１誘導経路３０ａの途中に合流する第２誘導経路３０ｂとを設定している。なお、第１誘導経路３０ａと第２誘導経路３０ｂとの合流部７６は、振分部７３よりも上流側に設定されている。すなわち、第１誘導経路３０ａは、第２誘導経路３０ｂとの合流部７６よりも下流側に振分部７３を配置している。
【００３０】
転動棚７１は、取付基板２１から前方へ延設された棚であり、侵入阻止壁２８と略同じ延設高さ（取付基板２１からの突出高さ）を有している。そして、上面を左右両側の経路連通口３１の上下方向の略中央から遊技空間２３の中央に向かって下り傾斜している。そして、転動棚７１の下方には、図７に示すように、取付基板２１の後方に向かって後方に下り傾斜した誘導樋８０と、該誘導樋８０の後方の取付基板２１に開設された誘導口８１と、誘導口８１から落下した遊技球を振り分ける回転誘導部材７２とが設けられている。誘導樋８０は、取付基板２１からの突出高さが侵入阻止壁２８と略同じになる状態で前方へ延設され、当該誘導樋８０の左右両端を転動棚７１の下端に接続して、転動棚７１を経て落下してきた遊技球を当該誘導樋８０の外へこぼさずに誘導口８１まで誘導できるように構成されている。
【００３１】
また、転動棚７１及び誘導樋８０の下方には、図７に示すように、上記第１誘導経路３０ａの上流となる球流下領域８２が形成されている。この球流下領域８２は、第２侵入阻止壁２８ｂにより囲まれた空間の上側に位置し、第２誘導経路３０ｂの一部である回転誘導部材７２とは、取付基板２１を挟んで前後に重合している。
【００３２】
誘導口８１の下方には、図７に示すように、横向き円筒状の振分空間壁部８４が取付基板２１の裏側に設けられている。この振分空間壁部８４は、取付基板２１の裏面と対向する面を底面として、この底面を取付基板２１の裏面から離隔して振分空間８５を区画形成し、この振分空間８５の上端前面が誘導口８１と連通している。
【００３３】
また、振分空間壁部８４の底面には、図９に示すように、後方の一般入賞樋８７に連通した一般入賞連通口８８（本発明の一般領域の一部）が開設されている。この一般入賞連通口８８は、後述する回転誘導部材７２の回転中心に対して左側（回転誘導部材７２が回転する側）に位置し、振分空間壁部８４の内側面、すなわち回転誘導部材７２の外周部に寄って設けられている（図２及び図３参照）。なお、この一般入賞連通口８８に入賞した遊技球は、一般入賞樋８７を通じて遊技盤１の裏側に設けられた入賞球流下空間９９（図８参照）へ回収される。
【００３４】
円板状の回転誘導部材７２は、振分空間８５内に、円形面を前方に向けた状態で収納されている。この回転誘導部材７２は、円形面の中心から後方に向けて回転軸９１を延設し、この回転軸９１を取付基板２１に軸着して回転可能に支持されており、この回転軸９１に回転誘導部材用モータ９２の出力軸を接続している。また、回転誘導部材７２は外周面から中心に向かって複数（本実施形態では、８箇所）の切欠部９３を備えている。この切欠部９３は、回転誘導部材７２の表面から裏面へ貫通し、遊技球を１個だけ収納可能な空間を有している。
【００３５】
本実施形態では、複数の切欠部９３のひとつを排出誘導部１０５とし、その他の切欠部９３を一般入賞誘導部１０６としている。排出誘導部１０５は、振分空間８５内の遊技球を取付基板２１の前面に排出するための誘導部であり、一般入賞誘導部１０６と比較して、回転誘導部材７２の外周面からの空間の深さが深く、回転誘導部材７２の中心近傍まで達している。したがって、この排出誘導部１０５に落下した遊技球は、回転誘導部材７２の回転時には、回転誘導部材７２の最上部（誘導口８１の直下位置）から反時計方向に約９０度回転するまで回転誘導部材７２の中心軸寄りに収納され、排出誘導部１０５が一般入賞連通口８８と重なっても遊技球が一般入賞連通口８８よりも中心軸（回転軸９１）寄りに収納されているため、一般入賞樋８７に誘導されることはない。そして、回転誘導部材７２が回転を続けて排出誘導部１０５の外周側端が下を向き始めると、遊技球は、外周側端に移動して振分空間壁部８４の下部側面に当接する。さらに、排出誘導部１０５が回転誘導部材７２の最下部に達すると、遊技球は、取付基板２１に開設された排出口９７から球流下領域８２の下側、すなわち第１誘導経路３０ａと第２誘導経路３０ｂとの合流部７６に排出される。なお、振分空間壁部８４は、図７に示すように、最下部周辺の内側面、すなわち排出口９７の後方に位置する遊技球転動面９８を前方の排出口９７に向かって下り傾斜させているので、排出誘導部１０５内に残ることなく速やかに遊技球を排出口９７へ転動することができる。また、排出口９７の前方には、遊技球を下へ向かって案内するフード状のガイド部材１０７が排出口９７を覆う状態で設けられて、排出口９７から排出された遊技球が直ちに下方の振分部７３へ流下するように構成されている。
【００３６】
一方、一般入賞誘導部１０６は、回転誘導部材７２の外周面からの深さを遊技球が丁度１個収納できる程度に浅く設定されている。また、一般入賞連通口８８と重なったときに下側に位置する側面１０６ａを一般入賞連通口８８に向かって下り傾斜している（図９参照）。このような構成の一般入賞誘導部１０６に遊技球を収納して回転誘導部材７２を反時計回りに回転すると、回転誘導部材７２の外周寄りの位置で一般入賞誘導部１０６と一般入賞連通口８８とが重なり、遊技球を一般入賞連通口８８へ転動させることができる。
【００３７】
このような構成を備えた回転誘導部材７２は、遊技球を一般入賞連通口８８と排出口９７（すなわち、排出口９７の下方の合流部７６）とに振り分け、一定速度で回転することを前提として排出誘導部１０５の個数と一般入賞誘導部１０６の個数とに基づく所定の確率（本実施形態では１／８の確率）で合流部７６へ流下させることができる。なお、一般入賞誘導部１０６あるいは排出誘導部１０５の個数を増減して、遊技球が合流部７６へ流下する確率を所望の確率に調整してもよい。
【００３８】
また、取付基板２１のうち、回転誘導部材７２の前方に位置する部分を透明にして、回転誘導部材７２により移動する遊技球の動きを前方から見えるようにすると、遊技者が変動入賞装置２内にて遊技球が複雑に動くのを見ながら遊技を楽しむことができて好適である。
【００３９】
そして、遊技空間２３は、排出口９７の下方に第２侵入阻止壁２８ｂの一側（図中右側）に向かって下り傾斜した球流下棚１０９を備え、排出口９７あるいは球流下領域８２から落下してきた遊技球を、当該遊技空間２３の下部に配置された振分部７３に誘導している。
【００４０】
次に、振分部７３について説明する。
振分部７３は、球流下棚１０９の下端に接続された助走樋１１１と、該助走樋１１１の下方に配置された振分部材（所謂クルーン）１１２を備えている。助走樋１１１は、取付基板２１の表側から裏側へ向かって下り傾斜した樋であり、取付基板２１に開設された助走開口１１３の下側を通り、下端を振分部材１１２の円形縁部に臨ませている。したがって、遊技球が球流下棚１０９を流下したり、あるいは経路連通口３１から球流下領域８２を通って直接落下したりして遊技球が助走樋１１１に到達すると、この遊技球は、助走樋１１１を転動して、振分部材１１２の縁部の接線方向へ勢いよく落下して、この縁部に沿って周回することができる。
【００４１】
振分部材１１２は、図７及び図８に示すように、擂り鉢状に形成され、底部の中央前寄りに１つの特定入賞口９４を特定領域として開設し、中央後寄りには複数（本実施形態では２つ）の一般入賞口９５を一般領域として開設している。したがって、助走樋１１１から落下してきた遊技球は、振分部材１１２の縁部に沿うようにして周回しながら底部に流下し、特定入賞口９４の個数と一般入賞口９５の個数とに基づく所定の確率（本実施形態では１／３の確率）で特定入賞口９４へ入賞し、残る確率（本実施形態では２／３）で一般入賞口９５へ入賞する。なお、特定入賞口９４及び一般入賞口９５の数を増減して、特定入賞口９４への入賞率を所望の確率に調整してもよい。
【００４２】
そして、特定入賞口９４の下方には特定領域センサ１１６が設けられている。また、各入賞口９４，９５に入賞した遊技球は、振分部材１１２の下方に区画形成された特定入賞球回収路１１７及び一般入賞球回収路１１８を通って、変動入賞装置２の裏側の入賞球流下空間９９に流下する。図２に示すように、この入賞球流下空間９９の底部１００は一側方下方（本実施形態では、左側下方）に傾斜しており、その最下部には、特定入賞球回収路１１７及び一般入賞球回収路１１８を通って、変動入賞装置２の裏側の入賞球流下空間９９に流下した遊技球を排出する排出流路１０１が接続され、該排出流路１０１の途中にはカウントセンサ１０２が設けられており、該排出流路１０１を流下する遊技球の個数を算出するように成っている。
【００４３】
上記のような構成を備えた変動入賞装置２は、可動部材２２を閉状態から開状態に変換すると、可動部材２２の上部流路４８を通過する遊技球は第２誘導経路３０ｂへと案内され、一方、可動部材２２の貫通流路４９を通過する遊技球は第１誘導経路３０ａへと案内され、経路連通口３１から受け入れる遊技球を第１誘導経路３０ａあるいは第２誘導経路３０ｂのいずれかに振り分けることになり、変動入賞装置２内を転動する遊技球の挙動を可動部材２２によって変化させることができる。したがって、遊技者は、様々な遊技球の動きを見ながら遊技を楽しむことができ、遊技球の通過位置を見るだけで、そのときに遊技球がどの誘導経路３０に誘導されて、どの程度の確率で特定領域に誘導されるかを知ることができる。このことから、特定領域への入賞（すなわち大当たり）のチャンスを把握することができる。
【００４４】
また、変動入賞装置２は、第１誘導経路３０ａに振り分けられた遊技球を、振分部材１１２により１／３の確率で特定領域に導く。一方、第２誘導経路３０ｂに振り分けられた遊技球を、回転誘導部材７２により１／８の確率で合流部７６に導き、さらに、合流部７６から流下して振分部材１１２により１／３の確率で特定領域に導く。すなわち、第２誘導経路３０ｂを流下する遊技球は、１／２４の確率で特定領域に導かれることになる。このように、変動入賞装置２は、遊技球が特定領域に誘導される確率（誘導率）を第１誘導経路３０ａと第２誘導経路３０ｂとで異ならせているので、遊技球が可動部材２２の貫通流路４９を通過して第１誘導経路３０ａに流下し易いように、遊技盤上の遊技釘（ガイド釘）を微調整すれば、高誘導率の誘導経路３０（本実施形態では、第１誘導経路３０ａ）へ遊技球が導入され易くなる。このことから、遊技店は、ガイド釘を極端に調整することなく、サービス営業時の出玉率を通常営業時よりも十分に高めることができる。
【００４５】
次に、パチンコ遊技機の遊技制御を行う遊技制御装置とその制御内容について説明する。図１０は、パチンコ遊技機に備えられる制御装置の構成図で、主として、遊技制御装置１２０を中心とする制御系統部分をブロック構成図として示したものである。
【００４６】
遊技制御装置１２０は、遊技を統括的に制御する主制御装置として機能し、図示するように、遊技制御を司るＣＰＵ、遊技制御のためのプログラム等を記憶しているＲＯＭ、及び遊技制御時にワークエリアとして利用されるＲＡＭ、入力インターフェース、出力インターフェース、クロック信号を発生する発振器等から構成される。なお、ＲＡＭには、後述の補助遊技及び特別遊技において設定する各フラグや情報等を記憶する。
【００４７】
このような構成からなる遊技制御装置１２０は、各種検出装置（第１始動入賞口センサ１２、第２始動入賞口センサ１４、一般入賞具センサ１〜Ｎ；１５、特定領域センサ１１６、カウントセンサ１０２）からの検出信号を受けて、大当たり遊技等、種々の処理を行う。そして、各種制御装置（排出制御装置１２１、音制御装置１２２、装飾制御装置１２３）の他、可動部材２２の開閉ソレノイド５０、回転誘導部材用モータ９２等に指令信号を送信して、遊技を統括的に制御するとともに、盤用外部情報１２７を出力する。
【００４８】
排出制御装置１２１は、遊技制御装置１２０からの賞球指令信号または図示しないカード球貸ユニットからの貸球要求に基づいて、排出装置１２４の動作を制御し、賞球または貸球の排出を行わせる。また、音制御装置１２２は、スピーカーからの効果音出力を制御する。さらに、装飾制御装置１２３は、ＣＰＵ、ＲＯＭ、ＲＡＭ、インターフェース等から構成され、遊技制御装置１２０からの装飾制御指令信号（制御データ）に基づいて、ランプ・ＬＥＤ１０等の装飾発光装置を制御する。
【００４９】
また、遊技制御装置１２０には、バックアップ電源１２６が接続されている。このバックアップ電源１２６は、停電発生時に、遊技制御装置１２０のＲＡＭ等に電源を供給するものである。
【００５０】
次に、上記した構成を有するパチンコ遊技機の動作について、特に、上記した第１始動入賞口５及び第２始動入賞口６に遊技球が入賞した際の動作について説明する。なお、電源投入時において遊技制御装置１２０は、開閉ソレノイド５０を消磁した常態で可動部材２２を起立した閉状態（図２参照）となるように制御し、また、回転誘導部材７２を常時反時計方向へ回動するように制御している。
【００５１】
発射装置（図示せず）により発射された遊技球は、区画部材３に沿って案内されて遊技領域４の上部に達した後、遊技釘や風車により方向を変えながら遊技領域４内を流下する。この遊技球が一般入賞具７、第１始動入賞口５及び第２始動入賞口６に入賞した場合には所定の賞球が得られ、何れにも入賞しなかった場合には、この遊技球はアウト口１１から回収される。
【００５２】
そして、遊技球がいずれかの第１始動入賞口５に入賞すると、図１１（ａ）に示すように、第１始動入賞口センサ１２が遊技球の入賞を検出し、検出信号を遊技制御装置１２０に送信する。この第１始動入賞口センサ１２からの検出信号に基づき、遊技制御装置１２０は、開閉ソレノイド５０を励磁（ＯＮ状態）して、所定時間Ｔ１（例えば、０．４秒）だけ可動部材２２を逆ハの字状に開かせる補助遊技を行う。このように可動部材２２を傾倒させて開状態に変換したときに、第１侵入阻止壁２８ａと第２侵入阻止壁２８ｂとの間に開放した経路連通口３１を開放するとともに、開閉部材５５が回動して貫通流路４９の入口４９ａを開放する。このとき、可動部材２２の上部流路４８から受け入れられた遊技球は、遊技空間２３内の第２誘導経路３０ｂに流下して、低い誘導率（本実施形態では１／２４の確率）で特定領域へ誘導され得る。一方、可動部材２２の貫通流路４９を通して受け入れられた遊技球は、貯留部５１内に貯留される。そして、所定時間が経過して開閉部材５５が戻り回動して閉状態に戻ると、貯留部５１内に貯留されていた遊技球が遊技空間２３内の第１誘導経路３０ａに流下して、高い誘導率（本実施形態では１／３の確率）で特定領域へ誘導され得る。
【００５３】
また、第２始動入賞口６に入賞すると、図１１（ｂ）に示すように、第２始動入賞口センサ１４が遊技球の入賞を検出し、検出信号を遊技制御装置１２０に送信する。この第２始動入賞口センサ１４からの検出信号に基づき、遊技制御装置１２０は、開閉ソレノイド５０を励磁（ＯＮ状態）して、第１始動入賞口５への入賞よりも長い所定時間Ｔ２（例えば、０．６秒）だけ可動部材２２を逆ハの字状に開かせる補助遊技を行う。このように可動部材２２の本体を傾倒させて開状態にしたときに、上述したと同様に経路連通口３１を開放し、該可動部材２２の上部流路４８から入賞可能とするとともに、貫通流路４９を通って貯留部５１に遊技球が貯留可能とする。そして、上部流路４８から受け入れられた遊技球は、遊技空間２３内の第２誘導経路３０ｂに流下して、低い誘導率（本実施形態では１／２４の確率）で特定領域へ誘導され得る。一方、貫通流路４９を通して受け入れられた遊技球は、貯留部５１内に貯留される。そして、所定時間が経過して開閉部材５５が戻り回動して閉状態に戻ると、貯留部５１内に貯留されていた遊技球が遊技空間２３内の第１誘導経路３０ａに流下して、高い誘導率（本実施形態では１／３の確率）で特定領域へ誘導され得る。
【００５４】
そして、いずれの場合においても、可動部材が閉状態に変換（図１２の状態から図１３の状態に変換）することにより貯留解除すると、貯留部５１に貯留された遊技球５２が一気に貫通流路４９を貫通して、高い誘導率（本実施形態では１／３の確率）で特定領域へ誘導されるので、遊技の興趣を高めることができる。このことから、後述する特定入賞口９４への入賞（すなわち大当たり）のチャンスを容易に把握することができ、特別遊技の発生に対する期待感を喚起できる。
【００５５】
このように、遊技制御装置１２０は、どちらの始動入賞口５，６に入賞したかによって変動入賞装置２の状態、具体的には、可動部材２２を開状態にする時間を異ならせる制御を行う。そして、遊技球が上部流路４８を通過するか、貫通流路４９を通過するかによって、遊技球が特定領域へ誘導される確率（大当たりする確率）が異なる。したがって、可動部材２２に臨んで傾斜した遊技釘（図示せず）や始動入賞口５，６上に配された調整釘（図示せず）を微調整することにより、高誘導率の誘導経路３０を遊技球が通過し易いように設定すれば、高誘導率の誘導経路３０に遊技球が流入するチャンスを増加させることができる。このようにして、遊技店は、遊技釘や調整釘の一部を微調整するだけであっても、十分に出玉率を高めることができる。
【００５６】
また、この補助遊技において、遊技制御装置１２０は、特定領域センサ１１６からの検出信号を所定有効期間（例えば、７秒間）が経過するまで有効とする制御を行う。
【００５７】
そして、遊技空間２３内を流下してきた遊技球が、有効期間が経過するまでに特定領域に入賞し、この遊技球の入賞を特定領域センサ１１６が検出して検出信号を遊技制御装置１２０に送信すると、遊技制御装置１２０は、この検出信号に基づいて特別遊技の動作（大当たり動作）を行わせる。
【００５８】
特別遊技において、遊技制御装置１２０は、図１１（ｃ）に示すように、可動部材２２を開いてから所定時間（例えば、３０秒）経過するか、あるいは所定個数（例えば、１０個）の遊技球を変動入賞装置２内に導入するかの何れか早い方の条件が成立すると、遊技制御装置１２０は、可動部材２２を閉じて第１ラウンドを終了する。その後、遊技制御装置１２０は、開閉ソレノイド５０を消磁（ＯＦＦ状態）して可動部材２２を起立した閉状態に戻し、再び開閉ソレノイド５０を励磁（ＯＮ状態）して可動部材２２を傾倒した開状態して第２ラウンドを開始する。
【００５９】
このように可動部材２２の開閉の一連動作を繰り返してラウンドを所定回数（例えば、１６回）繰り返し、最終ラウンドにおいて可動部材２２を閉じると、遊技制御装置１２０は、可動部材２２を開くことなく特別遊技を終了して通常遊技に戻る。このことから、遊技者は、可動部材２２の挙動を見て特別遊技が継続するか、あるいは終了するかを簡単に把握することができる。
【００６０】
次に、図１２及び図１３を用いて、第２の実施形態の遊技機について説明する。図１２は第２の実施形態における可動部材が閉状態の変動入賞装置の正面図、第２の実施形態における可動部材が開状態の変動入賞装置の正面図である。なお、第１の実施形態と同一の部材には同一の符号を付して説明する。
【００６１】
これらの図面に示すように、第２の実施形態では、可動部材２２の貫通流路４９の入口４９ａが開放したままの状態であり、可動部材２２の回動自由端には上記開閉部材５５は設けられていない。したがって、図１２に示すように、可動部材２２が閉状態にあるときに、貫通流路４９への遊技球の流入を防止すべく、取付基板２１の上部に設けられた庇状の第１侵入阻止壁２８ａの左右方向幅を第１の実施形態よりも大きく形成して、閉状態における可動部材２２の貫通流路４９の入口４９ａを被うように構成されている。
【００６２】
第２の実施形態においても、可動部材２２を傾倒させて開状態にしたときには、第１侵入阻止壁２８ａと第２侵入阻止壁２８ｂとの間に開放した経路連通口３１を開放し、該可動部材２２の上部流路４８を通過して入賞可能にするとともに、遊技球が貫通流路４９に入って貯留部５１に貯留可能な状態にする。このとき、開状態の可動部材２２の上部流路４８から受け入れられた遊技球は、遊技空間２３内の第２誘導経路３０ｂに流下して、低い誘導率（本実施形態では１／２４の確率）で特定領域へ誘導され得る。一方、開状態の可動部材２２の貫通流路４９を通して受け入れられて貯留部５１で貯留された遊技球は、可動部材２２が閉状態に復帰したときに遊技空間２３内の第１誘導経路３０ａに流下して、高い誘導率（本実施形態では１／３の確率）で特定領域へ誘導され得る。
【００６３】
そして、貯留部５１に貯留された遊技球を可動部材が閉状態に変換（図１２の状態から図１３の状態に変換）することにより貯留解除すると、第１実施形態と同様に、貯留部５１に貯留された遊技球５２が一気に貫通流路４９を通過することになり、遊技の興趣を高めることができる。このことから、後述する特定入賞口９４への入賞（すなわち大当たり）のチャンスを容易に把握することができ、特別遊技の発生に対する期待感を喚起できる。
【００６４】
このように第２の実施形態は、基本的には第１の実施形態と同様の作用効果を奏するが、上記開閉部材５５及びその附帯部材を要しないので、可動部材２２の構造が簡単であるという特有の効果を有している。
【００６５】
なお、上記実施形態では、遊技空間２３に２つの誘導経路３０を設けたが、本発明は誘導経路３０の数に限定されない。すなわち、３つ以上の誘導経路３０を遊技空間２３内に区画形成し、各誘導経路３０の途中に上記した回転誘導部材７２や振分部材１１２のような振分手段を配置して、特定領域への遊技球誘導率を誘導経路３０毎に異ならせてもよい。
【００６６】
ところで、上記実施形態では、遊技球の振分手段として回転誘導部材７２あるいは振分部材１１２を誘導経路３０内に備えることで特定領域への誘導率を異ならせていたが、本発明はこれに限定されず、遊技球を振分可能な部材はどのようなものでもよい。また、振分の確率が構造により定められるものに限らず、遊技球を振り分ける状態の変換時間によって定めるようにしてもよい。
【００６７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
また、本発明に係る遊技機は、パチンコ遊技機に限らず、雀球式遊技機、アレンジボール式遊技機などにも適用可能である。
【図面の簡単な説明】
【００６８】
【図１】パチンコ遊技機の遊技盤の正面図である。
【図２】可動部材が閉状態の変動入賞装置の正面図である。
【図３】可動部材が開状態の変動入賞装置の正面図である。
【図４】開閉部材が閉状態であり、回動位置規制穴の中間に回動軸が位置する要部正面図である。
【図５】開閉部材が開状態であり、回動位置規制穴の下限に回動軸が位置する要部正面図である。
【図６】図５におけるＡ矢視断面図である。
【図７】図２における変動入賞装置のＢ矢視断面図である。
【図８】図２における変動入賞装置のＣ矢視断面図である。
【図９】図２における変動入賞装置のＤ矢視断面図である。
【図１０】制御系の説明に供するブロック構成図である。
【図１１】補助遊技及び特別遊技における可動部材の作動状況の説明図である。
【図１２】第２の実施形態における可動部材が閉状態の変動入賞装置の正面図である。
【図１３】第２の実施形態における可動部材が開状態の変動入賞装置の正面図である。
【符号の説明】
【００６９】
１  遊技盤  
２  変動入賞装置
４  遊技領域
５  第１始動入賞口
６  第２始動入賞口
１２  第１始動入賞口センサ
１４  第２始動入賞口センサ２
２２  可動部材
２３  遊技空間
２８  侵入阻止壁
２８ａ  第１侵入阻止壁
２８ｂ  第２侵入阻止壁
３０  誘導経路
３０ａ  第１誘導経路
３０ｂ  第２誘導経路
３１  経路連通口
４１  回転軸
４２  筒体内側壁
４３  筒体外側壁
４４  筒体前面壁
４８  上部流路
４９  貫通流路
５１  貯留部
５０  開閉ソレノイド
５２  遊技球
５５  開閉部材
５６  回動軸
５８  回動位置規制穴
６１  捻りコイルバネ
６６  当接部材
６７  被当接部材
６８  軸受孔
７１  転動棚
７２  回転誘導部材
７３  振分部
７６  合流部
８０  誘導樋
８１  誘導口
８２  球流下領域
８４  振分空間壁部
８５  振分空間
８７  一般入賞樋
８８  一般入賞連通口
９１  回転軸
９２  回転誘導部材用モータ
９３  切欠部
９４  特定入賞口
９５  一般入賞口
９７  排出口
９９  入賞球流下空間
１００  底部
１０１  排出流路
１０２  カウントセンサ
１０５  排出誘導部
１０６  一般入賞誘導部
１０６ａ  側面
１０９  球流下棚
１１２  振分部材
１１３  助走開口
１１６  特定領域センサ
１１７  特定入賞球回収路
１１８  一般入賞球回収路
１２０  遊技制御装置
【図１】
2005328865.tif 000003
【図２】
2005328865.tif 000004
【図３】
2005328865.tif 000005
【図４】
2005328865.tif 000006
【図５】
2005328865.tif 000007
【図６】
2005328865.tif 000008
【図７】
2005328865.tif 000009
【図８】
2005328865.tif 000010
【図９】
2005328865.tif 000011
【図１０】
2005328865.tif 000012
【図１１】
2005328865.tif 000013
【図１２】
2005328865.tif 000014
【図１３】
2005328865.tif 000015